【事件の表示】
　特許第３０１１７２３号「耐応力腐食割れ性と耐孔食性に優れたオーステナイト系ステンレス鋼」の請求項１に係る特許に対する特許異議の申立てについて、次のとおり決定する。
【結　論】
　特許第３０１１７２３号の請求項１に係る特許を維持する。
【理　由】
１．本件発明
　本件特許第３０１１７２３号（平成１年１月１８日出願、平成１１年１２月１０日設定登録）の請求項１に係る発明は、特許明細書及び図面の記載からみて、特許請求の範囲の請求項１に記載された次のとおりのものと認める。
「【請求項１】Ｃ/０．０６ｗｔ％以下，Ｓｉ/１．０〜４．０ｗｔ％，Ｍｎ/０．３ｗｔ％以下、Ｃｒ/１８〜２３ｗｔ％，Ｎｉ/８〜１８ｗｔ％，Ｃｕ/２．０ｗｔ％超、３．０ｗｔ％以下，Ｍｏ/０．３〜０．７ｗｔ％，Ｎ/０．０５ｗｔ％以下，Ｂ/０．００１〜０．００５ｗｔ％を含み、残部はＦｅおよび不可避的不純物の組成であることを特徴とする耐応力腐食割れ性と耐孔食性に優れたオーステナイト系ステンレス鋼。」
（以下、特許請求の範囲の請求項１に記載された発明を「本件発明」という。）
２．申立ての理由の概要
　特許異議申立人日新製鋼株式会社は、証拠として甲第１号証（特開昭６２−２４７０４８号公報）、甲第２号証（日本学術振興会製鋼第１９委員会編「鉄鋼と合金元素（上）（昭和４６年１２月６日）誠文堂新光社ｐ１９６〜１９９）、甲第３号証（特開昭５９−１８５７６３号公報）を提出し、本件発明に係る特許は、特許法第２９条第２項の規定に違反してなされたものであるから、特許を取り消すべき旨主張している。
３．引用刊行物記載の発明
　当審が通知した取消理由に引用された刊行物１（特開昭６２−２４７０４８号公報）には、
「基本成分として、Ｃ：０．０８％以下，Ｓｉ：０．０１〜３．０％，Ｃｒ：１８．０〜２３．０％，Ｎｉ：８．５〜１２．０％，Ｍｏ：０．２〜２．０％，Ｃｕ：０．２〜３．５％，Ｎ：０．０３〜０．２５％を含み、Ｐ：０．０４％以下，Ｏ：０．０１％以下で、残余はＦｅおよび不可避的不純物よりなり、％Ｍｎ値と％Ｓ値の積が０．００１以下である、耐候性、耐隙間腐食性および耐応力腐食割れ性に優れたオーステナイト系ステンレス鋼。」（特許請求の範囲請求項１）、
「本発明は代表的なオーステナイトステンレス鋼であるＳＵＳ３１６系鋼と同等の耐候性、耐隙間腐食性およびＳＵＳ３１６以上の耐応力腐食性を有し、かつ安定なオーステナイト系ステンレス鋼に関する。」（第２頁右上欄第３〜７行）、
「優れた耐食性と、耐隙間腐食性および耐応力腐食性を有し、しかも安価なオーステナイト系ステンレス鋼の開発が要望されている。」（第２頁左下欄第１８行〜右下欄第１行）、
「本発明者らは、さらに耐隙間腐食性および耐応力腐食性の改善を試み、その結果、Ｃｒ含有量を多くすること、ＭｎとＳとの含有量を調整すること、および、ＣｕとＮを複合添加すること・・・により、安価で、かつ優れた耐食性を有する鋼の組成範囲を見出だした。」（第２頁右下欄第８〜１４行）と記載され、また、第１表には、鋼のＭｎ含有量が０．０７〜０．４５ｗｔ％であることが記載されており（第４頁第１表）、
　同刊行物２（日本学術振興会製鋼第１９委員会編「鉄鋼と合金元素（上）（昭和４６年１２月６日）誠文堂新光社ｐ１９６〜１９９）には、
「ステンレス鋼　オーステナイト・ステンレス鋼特に高合金のものは、一般に高温で脆化する性質がある。・・・Loveless,Bloomは少量のＢ添加が、これらの材料の熱間加工性を著しく改善することを発見した。・・・熱間加工性を改善するに要するＢの量は、きわめて微量である。」（第１９６頁第２１〜２９行）と記載され、また、表４４、表４５には、１０９３℃、１１７７℃及び１２６０℃でオーステナイト・ステンレス鋼の熱間加工性が改善されることが記載されており（第１９７頁表４４、１９８頁表４５）、
　同刊行物３（特開昭５９−１８５７６３号公報）には、
「Ｃ：０．０８％以下，Ｓｉ：２．０％を越え４．０％以下，Ｍｎ：２．００％以下，Ｃｒ：１６．００〜２０．００％，Ｎｉ：８．００〜１３．００％，Ｍｏ：０．３０〜１．５０％，Ｃｕ：０．３０〜２．００％，Ｎ：０．０５〜０．３０％を含有するとともに・・・Ｆｅ及び不可避不純物：残り、但し、該不純物中において、Ｂ：０．００２０％以下である成分組成（以上重量％）を有することを特徴とする、中性塩環境での耐食性に優れたオーステナイトステンレス鋼。」（特許請求の範囲第１項）、
「中性塩環境中での耐孔食性、耐隙間腐食性、耐応力腐食割れ性、及びその他の耐食性に十分な効果を発揮するとともに、成形や組立て加工にも優れた鋼を提供すべく研究を行った結果、１８−８型オーステナイト系ステンレス鋼の組成を基本とし、そのＭｏ添加量を減ずるとともにＳｉ，Ｃｕ及びＮの添加量を適度にコントロールすることに加えて、不可避的に鋼中へ混入するＢ含有量を所定値以下に制限すれば、その相乗的な効果として、中性塩環境中における耐食性がより向上する上、優れた高温耐酸化性をも示し、しかも価格のより安いオーステナイトステンレス鋼を実現できること、を知見するに至ったのである。」（第２頁左下欄第１〜１４行）と記載されている。
４．対比・判断
　本件発明と刊行物１〜３に記載の発明とを対比する。
　本件発明は、「低温域における熱間加工性をも改善され、なおかつ耐応力腐食割れ性および耐孔食性も優れたステンレス鋼を提供することを目的とする」（本件特許公報第２頁第３欄第４１〜４４行）ものであり、温水環境で用いられるオーステナイト系ステンレス鋼において、Ｃｕの多量添加と適量のＭｏの添加を行うとともに、Ｍｎ量を低減し、さらに微量のＢを特定の含有量範囲で添加する鋼組成を採用することによって、耐応力腐食割れ性及び耐孔食性の向上を両立させるとともに、熱間加工性、特に８００〜９００℃の比較的低温域における熱間加工性の改善を達成したものである。
　刊行物１に記載のものは、耐候性、耐隙間腐食性及び耐応力腐食割れ性に優れ、しかも安価なオーステナイト系ステンレス鋼を得ることを目的とするものであり、低温域における熱間加工性が改善され、なおかつ、耐応力腐食割れ性及び耐孔食性も優れたステンレス鋼を提供することを目的とする本件発明と目的が相違する。また、刊行物１に記載のものは、Ｂを含有するものでない点で、低温域における熱間加工性を改善するために０．００１〜０．００５ｗｔ％のＢを含有する本件発明と鋼組成が相違する。更に、刊行物１の第１表には、Ｍｎを０．０７〜０．４５ｗｔ％含有する鋼が記載されているが、刊行物１に記載のものは、Ｍｎ量を限定する理由が不明であり、本件発明のように、Ｍｎ量の低減によって耐応力腐食割れ性と耐孔食性の向上を両立させるといったものでなく、本件発明とたまたまＭｎ量が一致するものがあるというにすぎず、刊行物１に記載のものは、本件発明とＭｎ量を限定する理由が全く相違する。
　刊行物２には、１０９３〜１２６０℃におけるオーステナイト系ステンレス鋼の熱間加工性の改善に微量のＢの添加が有効であることが記載されているにすぎず、刊行物２には、８００〜９００℃の比較的低温域における熱間加工性の改善に微量のＢの添加が有効であることが何ら記載されていない。
　次に、刊行物３に記載のものは、中性塩環境中での耐孔食性、耐隙間腐食性、耐応力腐食割れ性、及びその他の耐食性に十分な効果を発揮するとともに、成形や組立て加工にも優れた鋼を提供することを目的とするものであり、低温域における熱間加工性が改善され、なおかつ、耐応力腐食割れ性及び耐孔食性も優れたステンレス鋼を提供することを目的とする本件発明と目的が相違する。また、刊行物３に記載のものは、Ｃｕ含有量を０．３０〜２．００ｗｔ％とする点で、Ｃｕ含有量を２．０ｗｔ％超、３．０ｗｔ％以下とする本件発明と鋼組成が相違する。また、本件発明は、低Ｍｎ量の鋼で問題となる８００〜９００℃の比較的低温域での熱間加工性の劣化に対して微量のＢの添加が有効であることを見出し、０．００１〜０．００５ｗｔ％のＢを添加するものであるところ、刊行物３に記載のものは、Ｂを不純物として混入する元素としてとらえ、Ｂが炭化物の粒界析出を促進し、耐食性を劣化させるので、Ｂ量を低く制限するというもので、刊行物３に記載のものは、本件発明とＢ量を規制する理由が相違するものである。
　以上のことから、刊行物１に記載された発明に刊行物２に記載された発明を適用しても、また、更に、刊行物３に記載された発明を併せ適用しても本件発明を容易に構築できたものとすることができない。
　そして、本件発明は、請求項１に記載の事項により、「本発明鋼は、比較的マイルドな環境における耐応力腐食割れ性に極めて優れており、同時に耐孔食性も良好である。また、オーステナイト系ステンレス鋼であるため溶接性も良い。更に熱間加工性も良好であるため歩留低下によるコストアップが生じることもない。以上のように本発明による鋼種は、従来使用されていたＳＵＳ４４４やＳＵＳ３１６の欠点を改善した温水環境に極めて適したステンレス鋼である。」（本件特許公報第５頁第９欄第２〜９行）という特許明細書に記載のとおりの顕著な作用効果を奏するものと認められる。
　したがって、本件発明は、刊行物１〜３に記載された発明に基づいて当業者が容易に発明をすることができたものとすることができない。
５．むすび
　以上のとおりであるから、特許異議申立ての理由及び証拠によっては、本件発明に係る特許を取り消すことはできない。
　また、他に本件発明に係る特許を取り消すべき理由を発見しない。
　よって、結論のとおり決定する。
【異議決定日】
平成１３年１１月１４日（２００１．１１．１４）